(57)【要約】【課題】３Ｇルータとして使用できない無線通信装置が、３Ｇルータとして使用できる無線通信装置を利用してネットワークに接続する際に、３Ｇルータとして使用できる無線通信装置が３Ｇ公衆網の圏内にあるか否かを、当該無線通信装置を３Ｇルータとして起動させることなく認識することができる無線通信システム、無線通信装置及び無線通信方法を提供する。【解決手段】スマートフォン２０は、スマートパッド１０に対し、自身の３Ｇ通信部２０８が３Ｇ基地局４００と通信可能か否かの通知を、ＷＬＡＮより省電力な赤外線通信を使用して通知する。一方、スマートパッド１０は、スマートフォン２０に対し、データ転送部２１４の転送開始の指示を、ＷＬＡＮを介して、又は、赤外線通信を介して通知する。【選択図】図１
2012175288.tif 000002
【特許請求の範囲】
【請求項１】
第１無線通信方式に準拠する第１無線通信部と、前記第１無線通信方式より省電力な第２無線通信方式に準拠する第２無線通信部と、を備える第１無線通信装置と、
前記第１無線通信方式に準拠する第３無線通信部と、前記第２無線通信方式に準拠する第４無線通信部と、第３無線通信方式に準拠し、外部の無線通信装置に接続する第５無線通信部と、前記第５無線通信部と少なくとも前記第３無線通信部との間でデータ転送が可能なデータ転送部と、を備える第２無線通信装置と、を有する無線通信システムであって、
前記第２無線通信装置は、前記第５無線通信部が前記外部の無線通信装置と通信可能か否か、前記第４無線通信部と前記第２無線通信部を介して前記第１無線通信装置へ通知し、
前記第１無線通信装置は、外部より前記データ転送部の転送開始の指示を受け、かつ、前記通知される通信可否が通信否の場合、前記転送開始の指示を前記第２無線通信装置へ通知せず、
外部より前記データ転送部の転送開始の指示を受け、かつ、前記通知される通信可否が通信可の場合、前記第１無線通信部と前記第３無線通信部又は／及び前記第２無線通信部と前記第４無線通信部を介して、前記転送開始の指示を前記第２無線通信装置へ通知し、
前記第２無線通信装置は、前記第１無線通信装置より前記転送開始の指示を受けた場合、前記データ転送部において前記データ転送を開始する無線通信システム。
【請求項２】
請求項１に記載の無線通信システムであって、
前記データ転送を開始した後に、前記第１無線通信装置は、前記第１無線通信部と前記第３無線通信部と前記第５無線通信部又は／及び前記第２無線通信部と前記第４無線通信部と前記第５無線通信部を介して前記外部の無線通信装置と通信を行う無線通信システム。
【請求項３】
請求項１又は請求項２に記載の無線通信システムであって、
前記外部の無線通信装置はインターネットに接続可能な無線通信システム。
【請求項４】
請求項１から請求項３のいずれか１項に記載の無線通信システムであって、前記第１無線通信方式は、無線ＬＡＮである無線通信システム。
【請求項５】
請求項１から請求項４のいずれか１項に記載の無線通信システムであって、前記第２無線通信方式は、赤外線通信である無線通信システム。
【請求項６】
請求項１から請求項４のいずれか１項に記載の無線通信システムであって、前記第２無線通信方式は、Bluetoothである無線通信システム。
【請求項７】
請求項１から請求項６のいずれか１項に記載の無線通信システムであって、前記第３無線通信方式は、セルラーである無線通信システム。
【請求項８】
請求項１から請求項７のいずれか１項に記載の無線通信システムにおける第１無線通信装置。
【請求項９】
請求項１から請求項７のいずれか１項に記載の無線通信システムにおける第２無線通信装置。
【請求項１０】
第１無線通信方式に準拠する第１無線通信部と、前記第１無線通信方式より省電力な第２無線通信方式に準拠する第２無線通信部と、を備える第１無線通信装置と、
前記第１無線通信方式に準拠する第３無線通信部と、前記第２無線通信方式に準拠する第４無線通信部と、第３無線通信方式に準拠し、外部の無線通信装置に接続する第５無線通信部と、前記第５無線通信部と少なくとも前記第３無線通信部との間でデータ転送が可能なデータ転送部と、を備える第２無線通信装置と、を有する無線通信システムにおける無線通信方法であって、
前記第２無線通信装置が、前記第５無線通信部が前記外部の無線通信装置と通信可能か否か、前記第４無線通信部と前記第２無線通信部を介して前記第１無線通信装置へ通知する通信可否通知ステップと、
前記第１無線通信装置が、外部より前記データ転送部の転送開始の指示を受け、かつ、前記通知される通信可否が通信否の場合、前記転送開始の指示を前記第２無線通信装置へ通知せず、
外部より前記データ転送部の転送開始の指示を受け、かつ、前記通知される通信可否が通信可の場合、前記第１無線通信部と前記第３無線通信部又は／及び前記第２無線通信部と前記第４無線通信部を介して、前記転送開始の指示を前記第２無線通信装置へ通知するデータ転送起動ステップと、
前記第２無線通信装置は、前記第１無線通信装置より前記転送開始の指示を受けた場合、前記データ転送部において前記データ転送を開始するデータ転送開始ステップと、
を備える無線通信方法。
【発明の詳細な説明】
【技術分野】
【０００１】
本発明は、携帯電話としての通信機能の他に、ＷＬＡＮ（無線ＬＡＮ）、赤外線通信、ブルートゥース（Ｂｌｕｅｔｏｏｔｈ（登録商標））などの無線通信機能を有する無線通信装置を備えた無線通信システム、該無線通信システムを構成する無線通信装置及び前記無線通信システムに関する無線通信方法に関する。
【背景技術】
【０００２】
近年、携帯電話としての無線通信機能の他に、ＷＬＡＮ、赤外線通信、ブルートゥースなどの無線通信機能を有する無線通信装置が普及してきており、その１つとして携帯電話とＰＤＡ（Personal Digital Assistant）を融合させたスマートフォンと呼ばれるものや、スマートフォンより大型のスマートパッドと呼ばれるものがある。スマートフォンは、携帯電話機能の他にＷＬＡＮ、赤外線通信、ブルートゥースなどの無線通信機能、スケジュール機能及び個人情報管理機能などの多種多様な機能を有するものである。携帯電話機能としては、主に、セルラーの無線通信方式に準拠する無線通信に対応させたものが殆どである。また、スマートフォンには、セルラーの無線通信方式に準拠する無線通信に対応するルータ（以下、“３Ｇルータ”と呼ぶ）として動作可能なものもある。他方、スマートパッドは、第３世代移動通信に対応させた携帯電話機能を有するものもあるが、一般的には、ＷＬＡＮ、赤外線通信、ブルートゥースなどの無線通信機能のみ有するものである。
【０００３】
上述したＷＬＡＮ、赤外線通信、ブルートゥースなどの無線通信機能を有する無線通信装置や無線通信システムとして、例えば特許文献１〜３に記載されているものがある。特許文献１に記載されている端末は、ＷＬＡＮ、携帯電話など複数の通信インタフェースを持ち、ＷＬＡＮのアクセスポイントの圏外に移動した際に、ＷＬＡＮ−携帯電話ネットワークのルータとして機能する。また、特許文献２に記載されている端末は、広域無線・局所無線のデュアル通信方式を持つ端末において、局所無線方式の圏外時に広域無線に切り替える手段を有している。また、特許文献３に記載されている無線通信システムは、近接無線通信を用いて無線通信の受信状態を提示し、データの送受信を行う前に、予め送受信状態を確認する機能を有する。
【先行技術文献】
【特許文献】
【０００４】
【特許文献１】特開２００４−３６３７００号公報
【特許文献２】特開２００４−２９７１２１号公報
【特許文献３】特開２００７−１８０８５２号公報
【発明の概要】
【発明が解決しようとする課題】
【０００５】
ところで、３Ｇルータとして使用できない無線通信装置が、３Ｇルータとして使用できる無線通信装置を利用してネットワークに接続する際、３Ｇルータとして使用できる無線通信装置が３Ｇ公衆網の圏外にあれば、当該無線通信装置を３Ｇルータとして起動させてもネットワークに接続することができず、却って、３Ｇルータとして起動させたことによる電力の無駄が生じてしまう。
【０００６】
本発明は、係る事情に鑑みてなされたものであり、３Ｇルータとして使用できない無線通信装置が、３Ｇルータとして使用できる無線通信装置を利用してネットワークに接続する際に、３Ｇルータとして使用できる無線通信装置が３Ｇ公衆網の圏内にあるか否かを、当該無線通信装置を３Ｇルータとして起動させることなく認識することができる無線通信システム、無線通信装置及び無線通信方法を提供することを目的とする。
【課題を解決するための手段】
【０００７】
本発明の無線通信システムは、第１無線通信方式に準拠する第１無線通信部と、前記第１無線通信方式より省電力な第２無線通信方式に準拠する第２無線通信部と、を備える第１無線通信装置と、前記第１無線通信方式に準拠する第３無線通信部と、前記第２無線通信方式に準拠する第４無線通信部と、第３無線通信方式に準拠し、外部の無線通信装置に接続する第５無線通信部と、前記第５無線通信部と少なくとも前記第３無線通信部との間でデータ転送が可能なデータ転送部と、を備える第２無線通信装置と、を有する無線通信システムであって、前記第２無線通信装置は、前記第５無線通信部が前記外部の無線通信装置と通信可能か否か、前記第４無線通信部と前記第２無線通信部を介して前記第１無線通信装置へ通知し、前記第１無線通信装置は、外部より前記データ転送部の転送開始の指示を受け、かつ、前記通知される通信可否が通信否の場合、前記転送開始の指示を前記第２無線通信装置へ通知せず、外部より前記データ転送部の転送開始の指示を受け、かつ、前記通知される通信可否が通信可の場合、前記第１無線通信部と前記第３無線通信部又は／及び前記第２無線通信部と前記第４無線通信部を介して、前記転送開始の指示を前記第２無線通信装置へ通知し、前記第２無線通信装置は、前記第１無線通信装置より前記転送開始の指示を受けた場合、前記データ転送部において前記データ転送を開始する。
【０００８】
上記構成によれば、第２無線通信装置は、自身の第５無線通信部が外部の無線通信装置と通信可能か否かの通知を、第１無線通信方式より省電力な第２無線通信方式を用いて第１無線通信装置に対して行うので、当該通知の通信における省電力化が図れる。
また、上記構成によれば、第１無線通信装置は、外部よりデータ転送部の転送開始の指示を受け、かつ、第２無線通信装置から通知される通信可否が通信可の場合、転送開始の指示を、第１無線通信方式より省電力な第２無線通信方式を用いて第２無線通信装置に対して行うので、当該通知の通信における省電力化が図れる。
【０００９】
上記構成において、前記データ転送を開始した後に、前記第１無線通信装置は、前記第１無線通信部と前記第３無線通信部と前記第５無線通信部又は／及び前記第２無線通信部と前記第４無線通信部と前記第５無線通信部を介して前記外部の無線通信装置と通信を行う。
【００１０】
上記構成によれば、第１無線通信装置は、データ転送を開始した後に、自身の第１無線通信部（ＷＬＡＮ）と第２無線通信装置の第３無線通信部（ＷＬＡＮ）と第２無線通信装置の第５無線通信部（３Ｇ）を介して、又は／及び、自身の第２無線通信部（赤外線）と第２無線通信装置の第４無線通信部（赤外線）と第２無線通信装置の第５無線通信部（３Ｇ）を介して、外部の無線通信装置と通信を行うので、当該通信における省電力化が図れる。
【００１１】
上記構成において、前記外部の無線通信装置は、インターネットに接続可能である。
【００１２】
上記構成において、前記第１無線通信方式は、無線ＬＡＮである。
【００１３】
上記構成において、前記第２無線通信方式は、赤外線通信である。
【００１４】
上記構成において、前記第２無線通信方式は、Ｂｌｕｅｔｏｏｔｈ（登録商標）である。
【００１５】
上記構成において、前記第３無線通信方式は、セルラーである。
【００１６】
本発明の第１無線通信装置は、本発明の無線通信システムにおける無線通信装置である。
【００１７】
本発明の第２無線通信装置は、本発明の無線通信システムにおける無線通信装置である。
【００１８】
本発明の無線通信方法は、第１無線通信方式に準拠する第１無線通信部と、前記第１無線通信方式より省電力な第２無線通信方式に準拠する第２無線通信部と、を備える第１無線通信装置と、記第１無線通信方式に準拠する第３無線通信部と、前記第２無線通信方式に準拠する第４無線通信部と、第３無線通信方式に準拠し、外部の無線通信装置に接続する第５無線通信部と、前記第５無線通信部と少なくとも前記第３無線通信部との間でデータ転送が可能なデータ転送部と、を備える第２無線通信装置と、を有する無線通信システムにおける無線通信方法であって、前記第２無線通信装置が、前記第５無線通信部が前記外部の無線通信装置と通信可能か否か、前記第４無線通信部と前記第２無線通信部を介して前記第１無線通信装置へ通知する通信可否通知ステップと、前記第１無線通信装置が、外部より前記データ転送部の転送開始の指示を受け、かつ、前記通知される通信可否が通信否の場合、前記転送開始の指示を前記第２無線通信装置へ通知せず、外部より前記データ転送部の転送開始の指示を受け、かつ、前記通知される通信可否が通信可の場合、前記第１無線通信部と前記第３無線通信部又は／及び前記第２無線通信部と前記第４無線通信部を介して、前記転送開始の指示を前記第２無線通信装置へ通知するデータ転送起動ステップと、前記第２無線通信装置は、前記第１無線通信装置より前記転送開始の指示を受けた場合、前記データ転送部において前記データ転送を開始するデータ転送開始ステップと、を備える。
【００１９】
上記方法によれば、第２無線通信装置は、自身の第５無線通信部が外部の無線通信装置と通信可能か否かの通知を、第１無線通信方式より省電力な第２無線通信方式を用いて第１無線通信装置に対して行うので、当該通知の通信における省電力化が図れる。
また、上記方法によれば、第１無線通信装置は、外部よりデータ転送部の転送開始の指示を受け、かつ、第２無線通信装置から通知される通信可否が通信可の場合、転送開始の指示を、第１無線通信方式より省電力な第２無線通信方式を用いて第２無線通信装置に対して行うので、当該通知の通信における省電力化が図れる。
【発明の効果】
【００２０】
本発明によれば、３Ｇルータとして使用できない無線通信装置が、３Ｇルータとして使用できる無線通信装置を利用してネットワークに接続する際に、３Ｇルータとして使用できる無線通信装置が３Ｇ公衆網の圏内にあるか否かを、当該無線通信装置を３Ｇルータとして起動させることなく認識することができる。
【図面の簡単な説明】
【００２１】
【図１】本発明の一実施の形態に係る無線通信システムの使用形態の一例を説明するための図
【図２】図１の無線通信システムのスマートパッドの概略構成を示すブロック図
【図３】図１の無線通信システムのスマートフォンの概略構成を示すブロック図
【図４】図１の無線通信システムにおいて、スマートフォンが３Ｇ公衆網の圏外にあって、通信可否の確認をユーザ起動操作に先駆けて行う場合の動作を説明するためのシーケンス図
【図５】図１の無線通信システムにおいて、スマートフォンが３Ｇ公衆網の圏内にあって、通信可否の確認をユーザ起動操作に先駆けて行う場合の動作を説明するためのシーケンス図
【図６】図１の無線通信システムにおいて、スマートフォンが３Ｇ公衆網の圏外にあって、ユーザ起動操作を行った後に通信可否の確認を行う場合の動作を説明するためのシーケンス図
【図７】図１の無線通信システムにおいて、スマートフォンが３Ｇ公衆網の圏内にあって、ユーザ起動操作を行った後に通信可否の確認を行う場合の動作を説明するためのシーケンス図
【図８】図１の無線通信システムにおいて、スマートパッドとスマートフォンとの赤外線通信接続処理を説明するためのフローチャート
【図９】図１の無線通信システムにおいて、スマートパッドのスマートフォン通信可否通知時の処理を説明するためのフローチャート
【図１０】図１の無線通信システムにおいて、スマートパッドの３Ｇルータ起動時の処理を説明するためのフローチャート
【図１１】図１の無線通信システムにおいて、スマートパッドの３Ｇルータ起動時の処理を説明するためのフローチャート
【図１２】図１の無線通信システムにおいて、スマートパッドのスマートフォン通信可否通知時の処理を説明するためのフローチャート
【図１３】図１の無線通信システムにおいて、スマートパッドの３Ｇルータ起動時の処理を説明するためのフローチャート
【図１４】図１の無線通信システムにおいて、３Ｇ圏外の場合のスマートパッド及びスマートフォンの表示例を示す図
【図１５】図１の無線通信システムにおいて、３Ｇ圏内で利用可能の場合のスマートパッド及びスマートフォンの表示例を示す図
【図１６】図１の無線通信システムにおいて、３Ｇ圏外で利用不可の場合のスマートパッド及びスマートフォンの表示例を示す図
【発明を実施するための形態】
【００２２】
以下、本発明を実施するための好適な実施の形態について、図面を参照して詳細に説明する。
【００２３】
図１は、本発明の一実施の形態に係る無線通信システムの使用形態の一例を説明するための図である。図１において、本実施の形態の無線通信システム１は、ＷＬＡＮ（ワイファイ（ＷｉＦｉ：Wireless Fidelity）とも呼ばれる）、ブルートゥース（Ｂｌｕｅｔｏｏｔｈ（登録商標）、以下、ＢＴと呼ぶ）、赤外線通信等の複数の無線通信方式で双方向通信が可能なスマートパッド（第１無線通信装置）１０及びスマートフォン（第２無線通信装置）２０を備える。スマートフォン２０は、上述したＷＬＡＮ、ＢＴ、赤外線通信等の無線通信の他に、セルラーの無線通信方式に準拠する無線通信を行うことができる。また、スマートフォン２０は、セルラーの無線通信においてルータ（“３Ｇルータ”と呼ぶ）としても動作する。
【００２４】
スマートパッド１０は、ルータ１５１と、該ルータ１５１に接続されたアクセスポイント１５２とで構成される家庭内ＷＬＡＮ（Wireless LAN）１５０経由でインターネット２５０に接続し、Ｗｅｂサーバ３００にアクセスすることができる。スマートパッド１０の家庭内ＷＬＡＮ１５０によるインターネット２５０への接続は、家庭内ＷＬＡＮ１５０のアクセスポイント１５２の圏内でのみ可能であり、当該圏内から出た場合は当然ながら家庭内ＷＬＡＮ１５０によるインターネット２５０への接続は不可となる。スマートパッド１０が家庭内ＷＬＡＮ１５０の圏外へ出た場合でもスマートフォン２０を３Ｇルータとして使用することで、インターネット２５０に接続することができる。勿論、この場合、スマートフォン２０が３Ｇ基地局４００の３Ｇ公衆網４０１の圏内に入っている必要がある。スマートフォン２０が３Ｇ基地局４００の３Ｇ公衆網４０１の圏内に入っていれば、スマートパッド１０は、スマートフォン２０を介してインターネット２５０に接続することができる。
【００２５】
ところで、スマートフォン２０が３Ｇ公衆網４０１の圏外にあれば、スマートフォン２０を３Ｇルータとして起動させても、スマートパッド１０はインターネット２５０に接続することができない。また、インターネット２５０に接続できないにも関わらずスマートフォン２０を３Ｇルータとして起動させた分だけ電力を無駄に消費することになる。スマートフォン２０が３Ｇ公衆網４０１の圏外にあるときに、３Ｇルータとして起動させることによる電力の無駄を避けるためには、スマートフォン２０が３Ｇ公衆網４０１の圏内にあるか否かを示す情報を赤外線通信などの省電力な通信方式を利用して認識するようにすればよい。このようにすることで、スマートフォン２０が３Ｇ公衆網４０１の圏外にあるときに、スマートフォン２０を３Ｇルータとして起動させなくて済む。本発明は、スマートフォン２０が３Ｇ公衆網４０１の圏内にあるか否かを示す情報の送受信に赤外線通信等の省電力な通信方式を用いて省電力化を図るようにしている。以下、スマートパッド１０及びスマートフォン２０それぞれの構成及び動作を詳細に説明する。
【００２６】
（スマートパッド１０の概略構成）
図２は、スマートパッド１０の概略構成を示すブロック図である。図２において、スマートパッド１０は、制御部１０１、記憶部１０２、入力部１０３、音声出力部１０４、表示部１０５、電源部１０６、電源制御部１０７、ＷＬＡＮ（ＷｉＦｉ）通信部１０９、アンテナ１１０及び赤外線通信部１１１を有している。アンテナ１１０及び電源部１０６を除く残りの各部１０１，１０２，１０３，１０４，１０５，１０７，１０９及び１１１は内部バス１１３で接続されている。なお、ＷＬＡＮ通信部１０９は、第１無線通信方式に準拠する第１無線通信部に対応し、赤外線通信部１１１は、第２無線通信方式に準拠する第２無線通信部に対応する。第２無線通信方式は、第１無線通信方式より省電力である。第２無線通信方式は、ＢＴであっても良い。
【００２７】
制御部１０１は、装置各部を制御するものであり、記憶部１０２に記憶された制御プログラムに従って動作する。記憶部１０２は、制御部１０１を動作させる制御プログラムの記憶の他、本装置１０で扱う各種データを記憶する。入力部１０３は、タッチパネルであり、表示部１０５の表示面の直上に配置され、ユーザの手指がタッチした位置に対応する座標を座標情報として出力する。入力部１０３から出力された座標情報は制御部１０１に取り込まれる。なお、タッチパネルの方式としては、抵抗膜方式、表面弾性波方式、電磁誘導方式、静電容量方式等があり、スマートパッド等の携帯端末では主に静電容量方式が採用されている。静電容量方式は、手指と導電膜との間における静電容量の変化を捉えて位置を検出する方式である。
【００２８】
音声出力部１０４は、音声の出力を行うものであり、図示せぬスピーカを有している。音声出力部１０４は、ミュージック等の音声ファイルの再生時に、音声ファイルから音声信号を生成してスピーカより出力する。表示部１０５は、液晶あるいは有機ＥＬ（Organic Electro-Luminescence）の表示パネルを有し、制御部１０１からの表示に関する指示に従って情報を表示する。電源部１０６は、電池（充電可能なものも含む）であり、装置各部に電力を供給する。電源制御部１０７は、電源部１０６の電池残量の監視や省電力制御を行う。ＷＬＡＮ通信部１０９は、IEEE802.11の無線通信方式に準拠する無線通信を行う。アンテナ１１０は、ＷＬＡＮ通信部１０９の無線通信に用いられるアンテナである。赤外線通信部１１１は、近距離赤外線通信規格ＩｒＤＡに準拠する赤外線通信を行う。なお、赤外線通信の代りにＢＴ（ブルートゥース）を用いても良いし、追加しても良い。ＢＴ通信は、IEEE802.15.1の無線通信方式に準拠し、２．４５ＧＨｚ帯の電波を利用して最高２４Ｍｂｐｓの速度で短距離無線通信を行うものである。
【００２９】
（スマートフォン２０の概略構成）
図３は、スマートフォン２０の概略構成を示すブロック図である。図３において、スマートフォン２０は、制御部２０１、記憶部２０２、入力部２０３、音声入出力部２０４、表示部２０５、電源部２０６、電源制御部２０７、３Ｇ通信部２０８、アンテナ２０９、データ転送部２１４、ＷＬＡＮ（ＷｉＦｉ）通信部２１０、アンテナ２１１及び赤外線通信部２１２を有している。アンテナ２０９，２１１及び電源部２０６を除く残りの各部２０１，２０２，２０３，２０４，２０５，２０７，２０８，２１４，２１０及び２１２は内部バス２１５で接続されている。なお、ＷＬＡＮ通信部２１０は、第１無線通信方式に準拠する第３無線通信部に対応し、赤外線通信部２１２は、第２の無線通信方式に準拠する第４無線通信部に対応し、３Ｇ通信部２０８は、第３無線通信方式に準拠する第５無線通信部に対応する。第２無線通信方式は、ＢＴであっても良い。
【００３０】
制御部２０１は、装置各部を制御するものであり、記憶部２０２に記憶された制御プログラムに従って動作する。記憶部２０２は、制御部２０１を動作させる制御プログラムの記憶の他、本装置２０で扱う各種データを記憶する。入力部２０３は、タッチパネルであり、表示部２０５の表示面の直上に配置され、ユーザの手指がタッチした位置に対応する座標を座標情報として出力する。入力部２０３から出力された座標情報は制御部２０１に取り込まれる。なお、タッチパネルの方式としては、上述したように、抵抗膜方式、表面弾性波方式、電磁誘導方式、静電容量方式等があり、スマートフォン等の携帯端末では主に静電容量方式が採用されている。また、静電容量方式は、手指と導電膜との間における静電容量の変化を捉えて位置を検出する方式である。
【００３１】
音声入出力部２０４は、３Ｇ無線通信時の音声の入出力を行うものであり、図示せぬスピーカ及びマイクを有し、受信した通信相手の音声をスピーカから出力し、第２無線通信装置２０のユーザの音声をマイクより入力する。また、音声入出力部２０４は、音声録音時には、マイクより入力された音声信号をデジタル信号に変換して出力し、ミュージック等の音声ファイルの再生時には、音声ファイルから音声信号を生成してスピーカより出力する。
【００３２】
表示部２０５は、液晶あるいは有機ＥＬの表示パネルを有し、制御部２０１からの表示に関する指示に従って情報を表示する。電源部２０６は、電池（充電可能なものも含む）であり、装置各部に電力を供給する。電源制御部２０７は、電源部２０６の電池残量の監視や省電力制御を行う。３Ｇ通信部２０８は、ＩＭＴ−２０００規格に準拠した第３世代移動通信に対応した無線通信を行う。また、３Ｇ通信部２０８は、第３世代移動通信に対応するルータとして動作する３Ｇルータ部２０８Ａを有している。アンテナ２０９は、３Ｇ通信部２０８の無線通信に用いられるアンテナである。ＷＬＡＮ通信部２１０は、IEEE802.11の無線通信方式に準拠する無線通信を行う。アンテナ２１１は、ＷＬＡＮ通信部２１０の無線通信に用いられるアンテナである。赤外線通信部２１２は、近距離赤外線通信規格ＩｒＤＡに準拠する赤外線通信を行う。なお、赤外線通信の代りにＢＴ（ブルートゥース）でも良いし、追加しても良い。ＢＴ通信は、IEEE802.15.1の無線通信方式に準拠し、２．４５ＧＨｚ帯の電波を利用して最高２４Ｍｂｐｓの速度で短距離無線通信を行うものである。データ転送部２１４は、内部バス２１５を経由して、３Ｇ通信部２０８とＷＬＡＮ通信部２１０との間でデータ転送を行う。なお、３Ｇ通信部２０８と赤外線通信部２１２との間でデータ転送を行うようにしても良い。
【００３３】
スマートパッド１０とスマートフォン２０はペアリングできるようになっている。ペアリングするときは、スマートパッド１０の表示部１０５に表示されているペアリング用アイコン（図示略）と、スマートフォン２０の表示部２０５に表示されているペアリング用アイコン（図示略）を略同時に押すことで、それぞれの装置でペアリング処理が実行される。ペアリング処理が実行されると、スマートパッド１０のＷＬＡＮ通信部１０９とスマートフォン２０のＷＬＡＮ通信部２１０との間でＷＬＡＮによる通信が可能となる。また、スマートパッド１０とスマートフォン２０とが赤外線通信の代わりにＢＴ（ブルートゥース）で通信を行う場合は、ペアリング処理が実行されることによりスマートパッド１０とスマートフォン２０との間でＢＴ（ブルートゥース）通信が可能となる。
【００３４】
次に、本実施の形態の無線通信システム１の動作について図面を参照しながら説明する。
図４〜図７は、本実施の形態の無線通信システム１の動作を説明するためのシーケンス図であり、図４は、スマートフォン２０が３Ｇ公衆網４０１の圏外にある場合で、スマートパッド１０に対するユーザ起動操作に先駆けて赤外線通信を行ってスマートフォン２０の３Ｇルータ部２０８Ａによる通信可否の確認を行う場合のシーケンス図、図５は、スマートフォン２０が３Ｇ公衆網４０１の圏内にある場合で、スマートパッド１０に対するユーザ起動操作に先駆けて赤外線通信を行ってスマートフォン２０の３Ｇルータ部２０８Ａによる通信可否の確認を行う場合のシーケンス図、図６は、スマートフォン２０が３Ｇ公衆網４０１の圏外にある場合で、スマートパッド１０に対するユーザ起動操作を行った後に、赤外線通信を行ってスマートフォン２０の３Ｇルータ部２０８Ａによる通信可否の確認を行う場合のシーケンス図、図７は、スマートフォン２０が３Ｇ公衆網４０１の圏内にある場合で、スマートパッド１０に対するユーザ起動操作を行った後に、赤外線通信を行ってスマートフォン２０の３Ｇルータ部２０８Ａによる通信可否の確認を行う場合のシーケンス図である。なお、ここでのユーザ起動操作とは、スマートフォン２０のデータ転送部２１４の転送開始の指示のことである。以下、通信可否の確認をユーザ起動操作に先駆けて行う場合と、ユーザ起動操作を行った後に通信可否の確認を行う場合とに分けて説明する。
【００３５】
（通信可否の確認をユーザ起動操作に先駆けて行う場合）
まず、図４において、スマートパッド１０では、制御部１０１の制御により、赤外線通信部１１１、入力部１０３及び表示部１０５が動作する。また、スマートフォン２０では、制御部２０１の制御により、赤外線通信部２１２が動作する。スマートパッド１０の制御部１０１は赤外線通信部１１１を使用し、スマートフォン２０の制御部２０１は赤外線通信部２１２を使用し、互いに赤外線通信の接続を行う。スマートパッド１０とスマートフォン２０との間で赤外線通信の接続が完了すると、スマートフォン２０の制御部２０１は、３Ｇ通信部２０８の出力より、自身が３Ｇ公衆網４０１の圏外かどうか判断し、圏外であれば、３Ｇルータ通信否とした３Ｇルータ通信可否通知を赤外線通信部２１２からスマートパッド１０の赤外線通信部１１１へ送信する。ここで、３Ｇルータ通信可否通知のタイミングは、（１）３Ｇルータ通信可から否になったとき、（２）所定のタイミング、（１）と（２）の組み合わせのいずれかを使用すると良い。スマートパッド１０の制御部１０１は、赤外線通信部１１１より、スマートフォン２０の赤外線通信部２１２からの３Ｇルータ通信否の通知を受けると、表示部１０５に３Ｇルータが圏外である旨の表示（「３Ｇルータ圏外」）を行い、また記憶部１０２に記憶する。その後、ユーザが、スマートパッド１０にて起動操作を行うと、スマートパッド１０の制御部１０１は、スマートフォン２０が圏外にある旨を表示部１０５に表示する。例えば「３ＧルータＯＮできません（圏外）」とポップアップ表示する。これにより、ユーザは、スマートパッド１０を、スマートフォン２０を介してインターネット２５０に接続することができないことを認識できる。
【００３６】
次に、図５において、スマートパッド１０では、制御部１０１の制御により、赤外線通信部１１１、入力部１０３及び表示部１０５が動作する。また、スマートフォン２０では、制御部２０１の制御により、赤外線通信部２１２、３Ｇ通信部２０８及びデータ転送部２１４が動作する。スマートパッド１０の制御部１０１は赤外線通信部１１１を使用し、スマートフォン２０の制御部２０１は赤外線通信部２１２を使用し、互いに赤外線通信の接続を行う。スマートパッド１０とスマートフォン２０との間で赤外線通信の接続が完了すると、スマートフォン２０の制御部２０１は、３Ｇ通信部２０８の出力より、自身が３Ｇ公衆網４０１の圏外かどうか判断し、圏外でなければ、３Ｇルータ通信可とした３Ｇ通信可否通知を赤外線通信部２１２からスマートパッド１０の赤外線通信部１１１へ送信する。ここで、３Ｇルータ通信可否通知のタイミングは、（１）３Ｇルータ通信否から可になったとき、（２）所定のタイミング、（１）と（２）の組み合わせのいずれかを使用すると良い。スマートパッド１０の制御部１０１は、赤外線通信部１１１より、スマートフォン２０の赤外線通信部２１２からの３Ｇルータ通信可の通知を受けると、表示部１０５に３Ｇルータが圏内である旨の表示（「３Ｇルータ圏内」）を行い、また記憶部１０２に記憶する。
【００３７】
その後、ユーザが、スマートパッド１０にて起動操作を行うと、スマートパッド１０の制御部１０１は、ＷＬＡＮ通信部１０９の出力よりＷＬＡＮが圏外かどうか判断し、ＷＬＡＮが圏外であれば、赤外線通信部１１１からスマートフォン２０の赤外線通信部２１２へ３Ｇルータの起動を要求する。スマートフォン２０の制御部２０１は、赤外線通信部２１２より３Ｇルータ起動要求を受けると、３Ｇ通信部２０８に対し、３Ｇルータ部２０８Ａを起動させる。３Ｇルータ部２０８Ａが起動すると、スマートフォン２０の制御部２０１は、赤外線通信部２１２からスマートパッド１０の赤外線通信部１１１へ３Ｇルータ起動完了通知を送信する。スマートパッド１０の制御部１０１は、赤外線通信部１１１にて３Ｇルータ起動完了通知を受けることでＷＬＡＮ通信部１０９を動作させて、スマートフォン２０のＷＬＡＮ通信部２１０と接続する処理を行う。スマートフォン２０の制御部２０１は、ＷＬＡＮ通信部２１０を動作させて、スマートパッド１０のＷＬＡＮ通信部１０９と接続する処理を行う。これらの処理が完了すると、スマートパッド１０がスマートフォン２０を介してインターネット２５０への接続が可能となり、インターネット２５０に接続されているＷｅｂサーバ３００にアクセスすることが可能となる。
【００３８】
図８は、スマートパッド１０とスマートフォン２０との赤外線通信接続処理を説明するためのフローチャートである。図８において、まずスマートフォン２０の制御部２０１とスマートパッド１０の制御部１０１とが赤外線通信で接続されているかどうか判定し（ステップＳ１）、接続されていれば本処理を終了し、接続されていなければ、互いに赤外線通信部２１２，１１１を使用して赤外線通信で接続を行う（ステップＳ２）。スマートフォン２０とスマートパッド１０との間を赤外線通信で接続した後、本処理を終える。
【００３９】
図９は、スマートパッド１０のスマートフォン通信可否通知時の処理を説明するためのフローチャートである。図９において、スマートパッド１０の制御部１０１は、赤外線通信部１１１にて、スマートフォン２０の３Ｇ通信可否（圏内・圏外）通知を受信する（ステップＳ１０）。次いで、受信した通信可否情報を記憶部１０２に記憶するとともに、表示部１０５にピクト表示する（ステップＳ１１）。この処理後、本処理を終える。
【００４０】
図１０は、スマートパッド１０の３Ｇルータ起動時の処理を説明するためのフローチャートである。図１０において、入力部１０３にてユーザ起動操作が行われると（ステップＳ２０）、制御部１０１は、ＷＬＡＮ通信部１０９の出力より、ＷＬＡＮ圏外か否かを判定し（ステップＳ２１）、ＷＬＡＮ圏内と判断した場合（即ち、ステップＳ２１の判定で「ＮＯ」と判断した場合）、３Ｇルータ部２０８Ａの起動を中止し（ステップＳ２２）、本処理を終える。これに対して、ＷＬＡＮ圏外と判断した場合（即ち、ステップＳ２１の判定で「ＹＥＳ」と判断した場合）、スマートフォン２０との赤外線通信の結果から、スマートフォン２０が３Ｇ通信可（圏内）であるか否かを判定する（ステップＳ２３）。３Ｇ通信可と判断した場合（即ち、ステップＳ２３の判定で「ＹＥＳ」と判断した場合）、スマートフォン２０に対し、赤外線通信で３Ｇルータ起動要求を送信する（ステップＳ２４）。３Ｇルータ起動要求を送信後、スマートフォン２０からの、３Ｇルータ起動完了通知を受信する（ステップＳ２５）。制御部１０１は、３Ｇルータ起動完了通知を受信すると、スマートフォン２０の３Ｇルータ部２０８ＡにＷＬＡＮ接続する（ステップＳ２６）。３Ｇルータ部２０８ＡにＷＬＡＮ接続した後、本処理を終える。一方、上記ステップＳ２３の判定で、３Ｇ通信否と判断した場合（即ち、ステップＳ２３の判定で「ＮＯ」と判断した場合）、表示部１０５に３Ｇルータ起動不可を通知する表示を行い（ステップＳ２７）、本処理を終える。
【００４１】
上述したように、本実施の形態の無線通信システム１において、スマートフォン２０は３Ｇ基地局と通信可能か否かの通知をユーザ起動操作に先駆けて行う。これにより、スマートパッド１０はユーザ起動操作が行われてから３Ｇルータを起動するかどうかを短時間で判断できる。したがって、ユーザが起動操作を行ってから３Ｇルータが起動するまで（もしくは３Ｇルータが起動できない状態であることがユーザに通知されるまで）の待ち時間が短い。このため、ユーザは快適に無線通信を利用することができる。
また、本実施の形態の無線通信システム１において、スマートパッド１０はユーザ起動操作に先駆けてスマートフォン２０が３Ｇ基地局と通信可能か否かを表示する。これにより、ユーザは３Ｇルータが起動できるかどうかを起動操作前に知ることができ、起動操作をすべきかどうかを事前に判断することもできる。
【００４２】
（ユーザ起動操作を行った後に通信可否の確認を行う場合）
次に、図６において、まずユーザがスマートパッド１０にて起動操作を行う。ユーザ起動操作に伴い、スマートパッド１０の制御部１０１は、ＷＬＡＮ通信部１０９の出力よりＷＬＡＮが圏外かどうか判断し、ＷＬＡＮ圏外であれば、赤外線通信部１１１を使用してスマートフォン２０の赤外線通信部２１２との間で赤外線通信の接続を行う。スマートパッド１０とスマートフォン２０との間で赤外線通信の接続が完了すると、スマートパッド１０の制御部１０１は、赤外線通信部１１１よりスマートフォン２０に対して３Ｇルータ通信可否の問い合わせを行う。スマートフォン２０の制御部２０１は、赤外線通信部２１２にて３Ｇルータ通信可否の問い合わせを受けると、３Ｇ通信部２０８の出力より、３Ｇ公衆網４０１の圏外かどうか判断し、圏外であれば、３Ｇルータ通信否とした３Ｇルータ通信可否通知を赤外線通信部２１２からスマートパッド１０の赤外線通信部１１１へ送信する。スマートパッド１０の制御部１０１は、赤外線通信部１１１より、スマートフォン２０の赤外線通信部２１２からの３Ｇルータ通信否の通知を受けると、表示部１０５に３Ｇルータが圏外である旨の表示（「３Ｇルータ圏外」）を行い、また記憶部１０２に記憶する。スマートパッド１０の制御部１０１は、更に、「３ＧルータＯＮできません（圏外）」とポップアップ表示する。これにより、ユーザは、スマートパッド１０を、スマートフォン２０を介してインターネット２５０に接続することができないことを認識できる。
【００４３】
次に、図７において、まずユーザがスマートパッド１０にて起動操作を行う。ユーザ起動操作に伴い、スマートパッド１０の制御部１０１は、ＷＬＡＮ通信部１０９の出力よりＷＬＡＮが圏外かどうか判断し、ＷＬＡＮ圏外であれば、赤外線通信部１１１を使用してスマートフォン２０の赤外線通信部２１２との間で赤外線通信の接続を行う。スマートパッド１０とスマートフォン２０との間で赤外線通信の接続が完了すると、スマートパッド１０の制御部１０１は、赤外線通信部１１１よりスマートフォン２０に対して３Ｇルータ通信可否の問い合わせを行う。スマートフォン２０の制御部２０１は、赤外線通信部２１２にて３Ｇルータ通信可否の問い合わせを受けると、３Ｇ通信部２０８の出力より、３Ｇ公衆網４０１の圏内かどうか判断し、圏内であれば、３Ｇルータ通信可とした３Ｇルータ通信可否通知を赤外線通信部２１２からスマートパッド１０の赤外線通信部１１１へ送信する。スマートパッド１０の制御部１０１は、赤外線通信部１１１より、スマートフォン２０の赤外線通信部２１２からの３Ｇルータ通信可の通知を受けると、表示部１０５に３Ｇルータが圏内である旨の表示（「３Ｇルータ圏内」）を行い、また記憶部１０２に記憶する。
【００４４】
次いで、スマートパッド１０の制御部１０１は、赤外線通信部１１１からスマートフォン２０の赤外線通信部２１２へ３Ｇルータ部２０８Ａの起動を要求する。スマートフォン２０の制御部２０１は、赤外線通信部２１２より、３Ｇルータ起動要求を受けると、３Ｇ通信部２０８に対し、３Ｇルータ部２０８Ａを起動させる。３Ｇルータ部２０８Ａが起動すると、スマートフォン２０の制御部２０１は、赤外線通信部２１２からスマートパッド１０の赤外線通信部１１１へ３Ｇルータ起動完了通知を送信する。スマートパッド１０の制御部１０１は、赤外線通信部１１１にて３Ｇルータ起動完了通知を受けると、ＷＬＡＮ通信部１０９を動作させて、スマートフォン２０のＷＬＡＮ通信部２１０と接続する処理を行う。スマートフォン２０の制御部２０１は、ＷＬＡＮ通信部２１０を動作させて、スマートパッド１０のＷＬＡＮ通信部１０９と接続する処理を行う。これらの処理が完了すると、スマートパッド１０がスマートフォン２０を介してインターネット２５０への接続が可能となり、インターネット２５０に接続されているＷｅｂサーバ３００にアクセスすることが可能となる。
【００４５】
図１１は、スマートパッド１０の３Ｇルータ起動時の処理を説明するためのフローチャートである。図１１において、入力部１０３にてユーザ起動操作が行われると（ステップＳ３０）、制御部１０１は、ＷＬＡＮ通信部１０９の出力より、ＷＬＡＮ圏外か否かを判定し（ステップＳ３１）、ＷＬＡＮ圏内と判断した場合（即ち、ステップＳ３１の判定で「ＮＯ」と判断した場合）、３Ｇルータ部２０８Ａの起動を中止し（ステップＳ３２）、本処理を終える。これに対して、ＷＬＡＮ圏外と判断した場合（即ち、ステップＳ３１の判定で「ＹＥＳ」と判断した場合）、何も処理をせず本処理を終える。
【００４６】
図１２は、スマートパッド１０のスマートフォン通信可否通知時の処理を説明するためのフローチャートである。図１２において、スマートパッド１０の制御部１０１は、赤外線通信部１１１にて、スマートフォン２０の３Ｇ通信可否問い合わせを送信する（ステップＳ４０）。次いで、スマートフォン２０の３Ｇ通信可否（圏内・圏外）通知を受信する（ステップＳ４１）。次いで、受信した通信可否情報を記憶部１０２に記憶するとともに、表示部１０５にピクト表示する（ステップＳ４２）。この処理後、本処理を終える。
【００４７】
図１３は、スマートパッド１０の３Ｇルータ起動時の処理を説明するためのフローチャートである。図１３において、制御部１０１は、赤外線通信部１１１の出力より、スマートフォン２０が３Ｇ通信可（圏内）か否かを判定し（ステップＳ５０）、３Ｇ通信可と判断した場合（即ち、ステップＳ５０の判定で「ＹＥＳ」と判断した場合）、スマートフォン２０に対し、赤外線通信で３Ｇルータ起動要求を送信する（ステップＳ５１）。３Ｇルータ起動要求を送信後、スマートフォン２０からの、３Ｇルータ起動完了通知を受信する（ステップＳ５２）。制御部１０１は、３Ｇルータ起動完了通知を受信すると、スマートフォン２０の３Ｇルータ部２０８ＡにＷＬＡＮ接続する（ステップＳ５３）。３Ｇルータ部２０８ＡにＷＬＡＮ接続した後、本処理を終える。一方、上記ステップＳ５０の判定で、３Ｇ通信否と判断した場合（即ち、ステップＳ５０の判定で「ＮＯ」と判断した場合）、表示部１０５に３Ｇルータ起動不可を通知する表示を行い（ステップＳ５４）、本処理を終える。
【００４８】
上述したように、本実施の形態の無線通信システム１において、スマートフォン２０はユーザ起動操作が行われた後に３Ｇ基地局と通信可能か否かの確認を行っている。これにより、スマートパッド１０はスマートフォン２０が通信可能か否かの直近の状態に基づいて３Ｇルータを起動するかどうかを判断できる。このため、スマートフォン２０の３Ｇルータが起動する直前にスマートフォン２０が３Ｇ圏外となってしまい３Ｇ通信が失敗する不具合が発生しにくくなり、ユーザは安心して無線通信を利用することができる。また、３Ｇルータによる通信ができないにもかかわらず３Ｇルータを無駄に起動する頻度がより少なくなるため、さらなる省電力化が図れる。
【００４９】
図１４は、３Ｇ圏外の場合のスマートパッド１０及びスマートフォン２０の表示例を示す図である。図１４において、３Ｇ圏外の場合、スマートフォン２０の表示部２０５には圏外ピクト５００が表示される。スマートパッド１０の表示部１０５にも圏外ピクト５１０が表示される。特に、スマートパッド１０における圏外ピクト５１０の表示は、ユーザ起動操作の前に赤外線通信の接続が行われる場合はユーザ起動操作前から表示され、ユーザ起動操作後に赤外線通信の接続が行われる場合はユーザ起動操作時に表示される。
【００５０】
図１５は、３Ｇ圏内で利用可能の場合のスマートパッド１０及びスマートフォン２０の表示例を示す図である。図１５において、３Ｇ圏内で利用可能の場合、スマートフォン２０の表示部２０５にはアンテナピクト５２０が表示される。スマートパッド１０の表示部１０５にもアンテナピクト５２１が表示される。
【００５１】
図１６は、３Ｇ圏外で利用不可の場合のスマートパッド１０及びスマートフォン２０の表示例を示す図である。図１６において、３Ｇ圏外で利用不可の場合、スマートフォン２０の表示部２０５には圏外ピクト５００が表示される。スマートパッド１０の表示部１０５には圏外ピクト５１０が表示されるとともに、インターネット２５０に接続するアプリケーションが起動したタイミングで“３ＧルータＯＮできません”というポップアップのダイアログ５３０が表示される。
【００５２】
なお、スマートパッド１０及びスマートフォン２０における３Ｇ圏内／圏外の表示のバリエーションを上記の場合を含めて列記する。
１）形で表示するピクト（アンテナピクト：圏内、圏外ピクト：圏外）、図１４及び図１５の表示が該当する。
２）色の違いで表示するピクト（緑：圏内、赤：圏外）
３）筐体ランプ（色、明るさ、点滅パターン）による圏外通知
４）圏外移行時に鳴動し、その後は鳴動しない警報音、または圏外中は鳴動し続ける警報音
５）圏外移行時に振動（バイブレーション）し、その後は、振動しない警報通知、または圏外中は振動し続ける警報通知
６）圏外警告のポップアップのダイアログ表示、図１６のスマートパッド１０における表示が該当する。
７）圏外警告のポップアップの警告アイコン
８）圏外時に使用不可になるアプリケーションのアイコンを（×付き）変更
【００５３】
このように本実施の形態の無線通信システム１によれば、スマートフォン２０は、３Ｇ通信部２０８（第５無線通信部）が３Ｇ基地局（外部の無線通信装置）と通信可能か否かの通知を、赤外線通信（第２無線通信方式）を用いてスマートパッド１０に対して行うの
で、当該通知の通信における省電力化が図れる。
【００５４】
なお、本実施の形態において第１無線通信方式、第２無線通信方式はそれぞれＷＬＡＮ、赤外線通信（またはＢｌｕｅｔｏｏｔｈ（登録商標））として説明したが、これに限ることはない。第２無線通信方式が第１無線通信方式よりも省電力の無線通信方式であればよく、第１無線通信方式／第２無線通信方式の組合せがたとえば、ＷＬＡＮ／ＰＨＳ（自営）、ＷＬＡＮ／ＺｉｇＢｅｅ、ＷＬＡＮ／ＵＷＢ、ＷＬＡＮ／ＷｉＦｉ  Ｄｉｒｅｃｔ、ＵＷＢ／ＰＨＳ（自営）、ＵＷＢ／Ｂｌｕｅｔｏｏｔｈ、ＵＷＢ／ＺｉｇＢｅｅ、Ｂｌｕｅｔｏｏｔｈ／ＰＨＳ（自営）、Ｂｌｕｅｔｏｏｔｈ／ＺｉｇＢｅｅ、Ｂｌｕｅｔｏｏｔｈ／Ｂｌｕｅｔｏｏｔｈ  Ｌｏｗ  Ｅｎｅｒｇｙであってもよい。また、第１無線通信方式、第２無線通信方式として同一の無線通信方式の異なるモードまたはクラスを利用してもよい。たとえばＢｌｕｔｅｔｏｏｔｈ  Ｖ２．０／Ｖ４．０、Ｂｌｕｅｔｏｏｔｈ  Ｃｌａｓｓ２／Ｃｌａｓｓ３、ＰＨＳトランシーバー／自営がこれに相当する。
また、本実施の形態において第３無線通信方式はセルラーであるものとして説明したが、これに限ることはなく、たとえば、公衆ＷＬＡＮ、ＰＨＳ公衆であってもよい。
【産業上の利用可能性】
【００５５】
本発明は、３Ｇルータとして使用できない無線通信装置が、３Ｇルータとして使用できる無線通信装置を利用してネットワークに接続する際に、３Ｇルータとして使用できる無線通信装置が３Ｇ公衆網の圏内にあるか否かを、当該無線通信装置を３Ｇルータとして起動させることなく認識することができるといった効果を有し、スマートフォンやスマートパッドと呼ばれる無線通信装置及びこれらの無線通信装置を備えた無線通信システムへの適用が可能である。
【符号の説明】
【００５６】
１  無線通信システム
１０  スマートパッド
２０  スマートフォン
１０１，２０１  制御部
１０２，２０２  記憶部
１０３，２０３  入力部
１０４  音声出力部
２０４  音声入出力部
１０５，２０５  表示部
１０６，２０６  電源部
１０７，２０７  電源制御部
１０９，２１０  ＷＬＡＮ通信部
１１０，２０９，２１１  アンテナ
１１１，２１２  赤外線通信部
１１３，２１５  内部バス
１５０  家庭内ＷＬＡＮ
１５１  ルータ
１５２  アクセスポイント
２０８  ３Ｇ通信部
２０８Ａ  ３Ｇルータ部
２１４  データ転送部
２５０  インターネット
３００  Ｗｅｂサーバ
４００  ３Ｇ基地局
４０１  ３Ｇ公衆網
５００，５１０  圏外ピクト
５２０，５２１  アンテナピクト
【図１】
2012175288.tif 000003
【図２】
2012175288.tif 000004
【図３】
2012175288.tif 000005
【図４】
2012175288.tif 000006
【図５】
2012175288.tif 000007
【図６】
2012175288.tif 000008
【図７】
2012175288.tif 000009
【図８】
2012175288.tif 000010
【図９】
2012175288.tif 000011
【図１０】
2012175288.tif 000012
【図１１】
2012175288.tif 000013
【図１２】
2012175288.tif 000014
【図１３】
2012175288.tif 000015
【図１４】
2012175288.tif 000016
【図１５】
2012175288.tif 000017
【図１６】
2012175288.tif 000018